(57)【要約】      （修正有）【課題】複数のコンテンツをスケジュールに従って順次表示するときに、利用者のアクションや利用環境を表示のスケジューリングに反映可能とする。【解決手段】利用者によるタッチ操作等のアクションの発生時に、表示されているコンテンツに対応する保持されているスケジュール情報の対象データ組中の現在状態情報を更新し、現在のデータ組中の状態閾値情報と比較し、その比較の結果に基づいて、上記コンテンツに対して、その対象データ組中の動作種別情報に対応する動作を実行する。この対象データ組の情報は、表示装置管理サーバ１０２に送信され、設置情報格納部２０７で定義されるその表示装置１０１が含まれるグループに属する他の各表示装置１０１に通知する。各表示装置１０１において、通知される対象データ組に関する情報に基づいて自装置が保持するスケジュール情報を更新し、対応するコンテンツに対して、動作を他の表示装置と同期して実行する。【選択図】図２
2011077833.tif 000002
【特許請求の範囲】
【請求項１】
コンテンツを予め設定されたスケジュールに基づいて表示するコンテンツ表示方法であって、
前記コンテンツを識別するコンテンツ識別情報と、
該コンテンツの表示タイミングを指示するタイミング制御情報と、
該コンテンツの表示時における自装置に対するアクションの現在状態を保持する現在状態情報と、
該アクションの状態閾値を保持する状態閾値情報と、
該アクションに対応する動作種別を保持する動作種別情報と、
を含むデータ組を１組以上含むスケジュール情報を保持し、
前記アクションの発生時に、該発生時に表示されている現在のコンテンツに対応する前記保持しているスケジュール情報の現在のデータ組中の現在状態情報を更新し、
前記現在のデータ組において更新された現在状態情報を該現在のデータ組中の状態閾値情報と比較し、
前記比較の結果に基づいて、前記現在のデータ組中のコンテンツ識別表示情報に対応するコンテンツに対して、該現在のデータ組中の動作種別情報に対応する動作を実行する、
ことを特徴とするコンテンツ表示方法。
【請求項２】
コンテンツを予め設定されたスケジュールに基づいて表示するコンテンツ表示方法であって、
前記コンテンツを表示する表示装置において、
前記コンテンツを識別するコンテンツ識別情報と、
該コンテンツの表示タイミングを指示するタイミング制御情報と、
該コンテンツの表示時における自装置に対するアクションの現在状態を保持する現在状態情報と、
該アクションの状態閾値を保持する状態閾値情報と、
該アクションに対応する動作種別を保持する動作種別情報と、
を含むデータ組を１組以上含むスケジュール情報を保持し、
前記アクションの発生時に、該アクションの発生時に表示されているコンテンツに対応する前記保持しているスケジュール情報の対象データ組中の現在状態情報を更新し、
前記対象データ組において更新された現在状態情報を該現在のデータ組中の状態閾値情報と比較し、
前記比較の結果に基づいて、前記対象データ組中のコンテンツ識別表示情報に対応するコンテンツに対して、該対象データ組中の動作種別情報に対応する動作を実行し、
前記比較の結果に基づいて、前記スケジュール情報の対象データ組に関する情報を表示装置管理装置に通知し、
前記表示装置管理装置において、
同期して動作させる前記表示装置のグループを定義する設置情報を保持し、
前記スケジュール情報の対象データ組に関する情報を通知した表示装置が属するグループを前記設置情報から検索し、該グループに属する各表示装置に、前記通知されたスケジュール情報の対象データ組に関する情報を通知し、
前記グループに属する各表示装置において、
前記表示装置管理装置から通知される前記スケジュール情報の対象データ組に関する情報に基づいて自装置が保持する前記スケジュール情報を更新し、
該更新されたスケジュール情報に基づいて、前記対象データ組中のコンテンツ識別表示情報に対応するコンテンツに対して、該対象データ組中の動作種別情報に対応する動作を他の表示装置と同期して実行する、
ことを特徴とするコンテンツ表示方法。
【請求項３】
前記現在状態は、前記アクションの回数であり、前記状態閾値は、該アクションの回数の閾値である、
ことを特徴とする請求項１又は２の何れか１項に記載のコンテンツ表示方法。
【請求項４】
前記動作種別は、コンテンツの非表示、コンテンツの表示時間の短縮若しくは伸張、コンテンツの優先表示の何れかの一つの動作である、
ことを特徴とする請求項１又は２の何れか１項に記載のコンテンツ表示方法。
【請求項５】
コンテンツを予め設定されたスケジュールに基づいて表示するコンテンツ表示装置に、
前記コンテンツを識別するコンテンツ識別情報と、
該コンテンツの表示タイミングを指示するタイミング制御情報と、
該コンテンツの表示時における自装置に対するアクションの現在状態を保持する現在状態情報と、
該アクションの状態閾値を保持する状態閾値情報と、
該アクションに対応する動作種別を保持する動作種別情報と、
を含むデータ組を１組以上含むスケジュール情報を保持し、
前記アクションの発生時に、該発生時に表示されている現在のコンテンツに対応する前記保持しているスケジュール情報の現在のデータ組中の現在状態情報を更新し、
前記現在のデータ組において更新された現在状態情報を該現在のデータ組中の状態閾値情報と比較し、
前記比較の結果に基づいて、前記現在のデータ組中のコンテンツ識別表示情報に対応するコンテンツに対して、該現在のデータ組中の動作種別情報に対応する動作を実行する、
機能を実行させるためのコンテンツ表示プログラム。
【請求項６】
コンテンツを予め設定されたスケジュールに基づいて表示するコンテンツ表示装置に、
前記コンテンツを識別するコンテンツ識別情報と、
該コンテンツの表示タイミングを指示するタイミング制御情報と、
該コンテンツの表示時における自装置に対するアクションの現在状態を保持する現在状態情報と、
該アクションの状態閾値を保持する状態閾値情報と、
該アクションに対応する動作種別を保持する動作種別情報と、
を含むデータ組を１組以上含むスケジュール情報を保持し、
前記アクションの発生時に、該アクションの発生時に表示されているコンテンツに対応する前記保持しているスケジュール情報の対象データ組中の現在状態情報を更新し、
前記対象データ組において更新された現在状態情報を該現在のデータ組中の状態閾値情報と比較し、
前記比較の結果に基づいて、前記対象データ組中のコンテンツ識別表示情報に対応するコンテンツに対して、該対象データ組中の動作種別情報に対応する動作を実行し、
前記比較の結果に基づいて、前記スケジュール情報の対象データ組に関する情報を表示装置管理装置に通知し、
前記表示装置管理装置から通知される前記スケジュール情報の対象データ組に関する情報に基づいて自装置が保持する前記スケジュール情報を更新し、
該更新されたスケジュール情報に基づいて、前記対象データ組中のコンテンツ識別表示情報に対応するコンテンツに対して、該対象データ組中の動作種別情報に対応する動作を他の表示装置と同期して実行する、
機能を実行させるためのコンテンツ表示プログラム。
【請求項７】
コンテンツを予め設定されたスケジュールに基づいて表示する表示装置を制御するための表示装置管理装置に、
同期して動作させる前記表示装置のグループを定義する設置情報を保持し、
スケジュール情報の対象データ組に関する情報を通知した表示装置が属するグループを前記設置情報から検索し、該グループに属する各表示装置に、前記通知されたスケジュール情報の対象データ組に関する情報を通知する、
機能を実行させるための表示装置管理プログラム。
【請求項８】
コンテンツを予め設定されたスケジュールに基づいて表示するコンテンツ表示装置において、
前記コンテンツを識別するコンテンツ識別情報と、
該コンテンツの表示タイミングを指示するタイミング制御情報と、
該コンテンツの表示時における自装置に対するアクションの現在状態を保持する現在状態情報と、
該アクションの状態閾値を保持する状態閾値情報と、
該アクションに対応する動作種別を保持する動作種別情報と、
を含むデータ組を１組以上含むスケジュール情報を保持するスケジュール情報保持部と、
前記アクションの発生時に、該発生時に表示されている現在のコンテンツに対応する前記保持しているスケジュール情報の現在のデータ組中の現在状態情報を更新する現在状態更新部と、
前記現在のデータ組において更新された現在状態情報を該現在のデータ組中の状態閾値情報と比較する状態比較部と、
前記比較の結果に基づいて、前記現在のデータ組中のコンテンツ識別表示情報に対応するコンテンツに対して、該現在のデータ組中の動作種別情報に対応する動作を実行する動作種別実行部と、
を含むことを特徴とするコンテンツ表示装置。
【請求項９】
コンテンツを予め設定されたスケジュールに基づいて表示するコンテンツ表示装置において、
前記コンテンツを識別するコンテンツ識別情報と、
該コンテンツの表示タイミングを指示するタイミング制御情報と、
該コンテンツの表示時における自装置に対するアクションの現在状態を保持する現在状態情報と、
該アクションの状態閾値を保持する状態閾値情報と、
該アクションに対応する動作種別を保持する動作種別情報と、
を含むデータ組を１組以上含むスケジュール情報を保持するスケジュール情報保持部と、
前記アクションの発生時に、該アクションの発生時に表示されているコンテンツに対応する前記保持しているスケジュール情報の対象データ組中の現在状態情報を更新する現在状態更新部と、
前記対象データ組において更新された現在状態情報を該現在のデータ組中の状態閾値情報と比較する状態比較部と、
前記比較の結果に基づいて、前記対象データ組中のコンテンツ識別表示情報に対応するコンテンツに対して、該対象データ組中の動作種別情報に対応する動作を実行する動作種別実行部と、
前記比較の結果に基づいて、前記スケジュール情報の対象データ組に関する情報を表示装置管理装置に通知するスケジュール情報通知部と、
前記表示装置管理装置から通知される前記スケジュール情報の対象データ組に関する情報に基づいて自装置が保持する前記スケジュール情報を更新するスケジュール情報更新部と、
を含み、
前記更新されたスケジュール情報に基づいて、前記対象データ組中のコンテンツ識別表示情報に対応するコンテンツに対して、該対象データ組中の動作種別情報に対応する動作を他の表示装置と同期して実行する、
ことを特徴とするコンテンツ表示装置。
【請求項１０】
コンテンツを予め設定されたスケジュールに基づいて表示する表示装置を制御するためのコンテンツ表示装置管理装置において、
同期して動作させる前記表示装置のグループを定義する設置情報を保持する設置情報保持部と、
スケジュール情報の対象データ組に関する情報を通知した表示装置が属するグループを前記設置情報から検索し、該グループに属する各表示装置に、前記通知されたスケジュール情報の対象データ組に関する情報を通知するスケジュール情報通知部と、
を含むことを特徴とするコンテンツ表示装置管理装置。
【発明の詳細な説明】
【技術分野】
【０００１】
本発明は、複数のコンテンツをスケジュールに従って順次表示するコンテンツ表示技術に関する。
【背景技術】
【０００２】
プレゼンテーションを始めとする各種情報表示処理の分野において、画像データや音声データなどによって構成される一連の複数のコンテンツを、予め定められたスケジュールに従って順次表示する技術が知られている。いわゆるスライドショーなどと呼ばれる機能である。
【０００３】
複数のコンテンツのスケジュールとしては、例えば、表示間隔や表示順序等が考えられる。
複数のコンテンツのスケジュールを制御する第１の従来技術として、下記特許文献１に記載されているように、コンテンツとしての画像データ毎の表示平均時間や表示回数等に基づいて画像のスライド表示順序を変更する制御技術が知られている。
【０００４】
また、複数のコンテンツのスケジュールを制御する第２の従来技術として、下記特許文献２に記載されているように、複数コンテンツの表示、再生の処理回数に応じたユーザ評価値により、コンテンツに応じて早送り再生時の表示時間を制御（長く表示）する技術が知られている。
【先行技術文献】
【特許文献】
【０００５】
【特許文献１】特開２００６−９９５３２号公報
【特許文献２】特開２００８−４６８６９号公報
【発明の概要】
【発明が解決しようとする課題】
【０００６】
前述した第１の従来技術は、ユーザによる表示指示／表示時間に基づいて、ユーザの関心度の高いものから順に表示する技術である。しかし、この従来技術では、ユーザ操作に基づいて優先度を高くする単純な制御しか行うことができず、例えば表示場所などに基づいてきめ細かい制御を行うことはできないという問題点を有していた。
【０００７】
また、前述した第２の従来技術も、ユーザ評価（表示回数）に基づいて早送り再生時の表示時間を制御（長く表示）するという単純な制御しか行うことができず、例えば表示順序を変更するといったきめ細かい制御を行うことはできないという問題点を有していた。
【０００８】
更に、従来技術においては、表示コンテンツに利用者（参照）からのアクションが可能である場合（例えば画面タッチにてより詳細な情報の表示等）でも、コンテンツ表示スケジュールに利用者からのアクションをフィードバックすることができなかった。このため、コンテンツ提供者の意図を素早くスケジューリングに反映することができないという問題点があった。
【０００９】
そこで、開示する技術は、利用者のアクションや利用環境をコンテンツ表示のスケジューリングに反映可能とすることを目的とする。
【課題を解決するための手段】
【００１０】
態様の一例では、コンテンツを予め設定されたスケジュールに基づいて表示するコンテンツ表示方法を前提とする。
コンテンツを表示する表示装置において、下記の過程が実行される。
【００１１】
まず、コンテンツを識別するコンテンツ識別情報と、そのコンテンツの表示タイミングを指示するタイミング制御情報と、そのコンテンツの表示時における自装置に対するアクションの現在状態を保持する現在状態情報と、そのアクションの状態閾値を保持する状態閾値情報と、そのアクションに対応する動作種別を保持する動作種別情報とを含むデータ組を１組以上含むスケジュール情報が保持される。
【００１２】
次に、アクションの発生時に、そのアクションの発生時に表示されているコンテンツに対応する保持されているスケジュール情報の対象データ組中の現在状態情報が更新される。
【００１３】
次に、対象データ組において更新された現在状態情報が現在のデータ組中の状態閾値情報と比較される。
そして、比較の結果に基づいて、対象データ組中のコンテンツ識別表示情報に対応するコンテンツに対して、その対象データ組中の動作種別情報に対応する動作が実行される。
【００１４】
態様の他の一例では、上述の過程に加えて、更に下記の過程が実行される。
まず、比較の結果に基づいて、スケジュール情報の対象データ組に関する情報が表示装置管理サーバに通知される。
【００１５】
表示装置管理サーバにおいては、同期して動作させる表示装置のグループを定義する設置情報が保持される。
次に、表示装置管理サーバにおいて、スケジュール情報の対象データ組に関する情報を通知した表示装置が属するグループが設置情報から検索され、そのグループに属する各表示装置に、通知されたスケジュール情報の対象データ組に関する情報が通知される。
【００１６】
一方、グループに属する各表示装置において、表示装置管理サーバから通知されるスケジュール情報の対象データ組に関する情報に基づいて自装置が保持するスケジュール情報が更新される。
【００１７】
そして、更新されたスケジュール情報に基づいて、対象データ組中のコンテンツ識別表示情報に対応するコンテンツに対して、その対象データ組中の動作種別情報に対応する動作が他の表示装置と同期して実行される。
【発明の効果】
【００１８】
表示装置において、利用者によるアクションに基づいて、画面コンテンツの表示状態を制御することが可能となる。
また、１つの表示装置における利用者によるアクションに基づいて、複数の表示装置の表示コンテンツの表示状態を同期して制御することが可能となる。
【図面の簡単な説明】
【００１９】
【図１】本発明の実施形態の全体構成図である。
【図２】表示装置と表示装置管理サーバの構成図である。
【図３】本発明の実施形態のデータ構成例を示す図である。
【図４】表示装置管理サーバ上に確保される設置情報のデータ構成例を示す図である。
【図５】入力制御部の制御動作を示す動作フローチャートである。
【図６】表示制御部の制御動作を示す動作フローチャートである。
【図７】表示装置管理サーバの制御動作を示す動作フローチャートである。
【図８】サーバ連携部がスケジュール情報のデータ組を受信する制御動作を示す動作フローチャートである。
【図９】本発明の実施形態の動作説明図である。
【図１０】本発明の実施形態を実現できるハードウェアの構成例を示す図である。
【発明を実施するための形態】
【００２０】
以下、本発明を実施するための形態について図面を参照しながら詳細に説明する。
図１は、本発明の一実施形態の全体的なシステム構成を示す図である。
このシステムは、複数台（図１では＃１から＃ＮまでのＮ台）の表示装置１０１におけるコンテンツの表示が、ネットワーク１０３を介して接続される表示装置管理サーバ１０２によって制御される構成を有する。なお、以下の説明において、コンテンツの表示とは、静止画や動画等の画像の表示のほか、音声出力を含んでもよい。
【００２１】
図２は、表示装置１０１の１台あたりの構成と、表示装置管理サーバ１０２の構成を示す構成図である。
まず、表示装置１０１は、表示制御部２０１、入力制御部２０２、スケジュール情報格納２０３、サーバ連携部２０４、及びＯＳ（オペレーティングシステム）２０５を含む。
【００２２】
表示制御部２０１は、スケジュール情報格納部２０３に格納されたスケジュール情報に基づいて、複数の一連のコンテンツを順次表示する。
スケジュール情報格納部２０３は、表示（音声出力を含む）するコンテンツのスケジュール情報を格納する。スケジュール情報の詳細については後述する。
【００２３】
入力制御部２０２は、タッチパネル等を備え、利用者からの表示画面等へのタッチ操作によるアクションを受け、その操作内容をスケジュール情報格納部２０３内のスケジュール情報へ反映させる。
【００２４】
サーバ連携部２０４は、スケジュール情報格納部２０３に格納されたスケジュール情報や表示制御部２０１が表示するコンテンツ等を、ネットワーク１０３を介して、表示装置管理サーバ１０２との間で授受する。ここでの、情報の授受は、ｈｔｔｐ（ハイパーテキストトランスファプロトコル）、ｈｔｔｐｓ（ハイパーテキストトランスファプロトコルセキュア）、ｆｔｐ（ファイルトランスファプロトコル）等の一般的な通信プロトコルを用いて実行される。
【００２５】
ＯＳ２０５は、表示装置１０１全体の基本動作を制御する基本ソフトウェアである。このとき、ＯＳ２０５は、各表示装置１０１毎に確保されるメモリ上の記憶エリア等（図２では特には図示しない）に保持されるものとする。
【００２６】
次に、表示装置管理サーバ１０２は、各種情報管理機能部２０６、設置情報格納部２０７、スケジュール情報格納部２０８、表示装置連携部２０９、及びＯＳ（オペレーティングシステム）２１０を含む。
【００２７】
各種情報管理機能部２０６は、後述する設置情報格納部２０７及びスケジュール情報格納部２０８等を管理する機能を有する。より具体的には、各種情報管理機能部２０６は例えば、表示装置連携部２０９を介して図１の＃１〜＃Ｎの表示装置１０１との間で授受されるスケジュール情報格納部２０８に格納されたスケジュール情報の、特には図示しない記憶装置に対する書込みや読出しを制御する。また、各種情報管理機能部２０６は例えば、サーバ管理者が操作する特には図示しない入出力装置による設置情報格納部２０７やスケジュール情報格納部２０８に格納されたスケジュール情報の編集操作を制御する。
設置情報格納部２０７は、同期して動作させる表示装置１０１のグループを定義する設置情報を格納する。設置情報の詳細については後述する。
【００２８】
スケジュール情報格納部２０８は、表示（音声出力を含む）するコンテンツのスケジュール情報を格納する。スケジュール情報の詳細については後述する。
表示装置連携部２０９は、図１のネットワーク１０３を介して、図１の＃１〜＃Ｎの各表示装置１０１との間で、スケジュール情報等の授受を実行する。
ＯＳ２１０は、表示装置管理サーバ１０２全体の基本動作を制御する基本ソフトウェアである。このとき、ＯＳ２１０は、表示装置管理サーバ１０２に確保されるメモリ上の記憶エリア等（図２では特には図示しない）に保持されるものとする。
【００２９】
図３は、１つの表示装置１０１に対応する表示装置１０１上に確保されるスケジュール情報格納部２０３に格納されたスケジュール情報又は表示装置管理サーバ１０２上に確保されるスケジュール情報格納部２０８に格納されたスケジュール情報の、データ構成例を示す図である。
【００３０】
画像や音声などの或るコンテンツをあるタイミングにおいて表示（音声出力を含む）するためのスケジュール情報は、図３（ａ）に示されるデータ組によって構成される。即ち、「１．表示順序」は、「３．表示コンテンツ」で示されるコンテンツが表示されるときの表示の順番を示す。「２．表示間隔」は、「３．表示コンテンツ」で示されるコンテンツが表示されるときの表示の時間長を示すタイミング制御情報である。「２．表示間隔」として、例えば「１分」である。「３．表示コンテンツ」は表示されるコンテンツを特定するコンテンツ識別情報を示す。「３．表示コンテンツ」としては、例えば画像のファイルパスや音声のファイルパスがある。「４．アクション回数」は、現時点における利用者による或るアクション動作のフィードバック回数を示す現在状態情報である。アクション動作は、例えば「表示装置１０１（図１）の表示画面を指でタッチする」等の動作である。「５．アクション回数閾値」は、「６．アクション動作種別」で示される動作が実行されるまでの利用者によるアクション動作のフィードバック回数の閾値を示す状態閾値情報である。「５．アクション回数閾値」としては、例えば「１００」又は「５０」等である。「６．アクション動作種別」は、「４．アクション回数」が「５．アクション回数閾値」を超えたときに表示装置１０１が実行する動作の種別を指定する動作種別情報である。「６．アクション動作種別」としては、例えば「非表示」等がある。
【００３１】
１つの表示装置１０１に対応するスケジュール情報格納部２０３に格納されたスケジュール情報又はスケジュール情報格納部２０８に格納されたスケジュール情報は、上述した図３（ａ）に示されるデータ組が、図３（ｂ）に示されるように、複数組（図中では例えば１０組）保持されることによって構成される。なお、表示装置管理サーバ１０２は、図３（ｂ）に示される複数組のデータ組からなるスケジュール情報格納部２０８に格納されたスケジュール情報を、＃１〜＃ＮのＮ台の表示装置１０１（図１）に対応してそれぞれ保持する。
【００３２】
図４は、表示装置管理サーバ１０２上に確保される設置情報格納部２０７に格納された設置情報のデータ構成例を示す図である。
１組の設置情報格納部２０７に格納された設置情報は、図４（ａ）に示されるデータ組を有する。「１．設置場所」は、設置場所の名称を示す。「２．設置場所属性」は、設置場所の属性を識別する情報を示す。「２．設置場所属性」としては、例えば「繁華街看板」や「公共端末」等がある。「３．スケジュール同期」は、これを含むデータ組で示される設置場所が「４．設置表示装置」で示される１つ以上の表示装置１０１が各々の表示を同期させるか否かを「１」（同期させる）又は「０」（同期させない）の値によって示す。「４．設置表示装置」は、この設置情報が適用される１つ以上の表示装置１０１の識別情報を示す。つまり、「４．設置表示装置」は、同期して動作させたい表示装置１０１のグループを示している。
【００３３】
上述の図４（ａ）に示される設置情報格納部２０７に格納された設置情報のデータ組は、図４（ｂ）に示されるように、表示装置管理サーバ１０２において複数組保持することができる。
【００３４】
図５は、表示装置１０１における入力制御部２０２（図２参照）が、利用者からのタッチ操作によるアクションを受け、その操作内容をスケジュール情報格納部２０３に格納されたスケジュール情報へ反映させる制御動作を示す動作フローチャートである。
【００３５】
まず、表示装置１０１において、利用者による表示画面等へのタッチ操作によるアクションが発生すると、スケジュール情報格納部２０３に格納されたスケジュール情報において、現在表示されている「３．表示コンテンツ」（図３参照）が含まれるデータ組中の「４．アクション回数」が、１だけ増やされる（ステップＳ５０１）。
【００３６】
次に、上記データ組中の「４．アクション回数」が、「５．アクション回数閾値」と比較される（ステップＳ５０２）。
この結果、「４．アクション回数」が「５．アクション回数閾値」を超えていなければ、何もせずに図５の動作フローチャートで示される制御動作を終了する。
【００３７】
一方、「４．アクション回数」が「５．アクション回数閾値」を超えていれば、この制御動作が実行されている表示装置１０１において、サーバ連携部２０４を通じて表示装置管理サーバ１０２内の表示装置連携部２０９に、スケジュール情報格納部２０３に格納されたスケジュール情報中の上記データ組が、表示装置１０１を識別する情報と共に通知される（ステップＳ５０３）。その後、図５の動作フローチャートで示される制御動作を終了する。
【００３８】
図６は、表示装置１０１において、スケジュール情報格納部２０３に格納されたスケジュール情報に基づいて複数の一連のコンテンツが順次表示されるときの制御動作を示す動作フローチャートである。
【００３９】
まず、スケジュール情報格納部２０３に格納されたスケジュール情報（図３（ｂ）参照）から先頭（１番目）のデータ組が読み出され、そのデータ組中の「３．表示コンテンツ」（図３（ａ）参照）によって、表示コンテンツが決定される（ステップＳ６０１）。
【００４０】
次に、ステップＳ６０１で読み出されたスケジュール情報格納部２０３に格納されたスケジュール情報のデータ組において、「４．アクション回数」が「５．アクション回数閾値」（共に図３（ａ）参照）を超えているか否かが判定される（ステップＳ６０２）。
【００４１】
「４．アクション回数」が「５．アクション回数閾値」を超えていなければ、ステップＳ６０１で読み出されたスケジュール情報格納部２０３に格納されたスケジュール情報のデータ組中の「２．表示間隔」（図３（ａ）参照）で示される表示時間だけ、ステップＳ６０１で決定された表示コンテンツが、この制御動作が実行されている表示装置１０１の表示画面等（スピーカを含む）に表示される（ステップＳ６０３）。
【００４２】
「４．アクション回数」が「５．アクション回数閾値」を超えていれば、ステップＳ６０１で決定された表示コンテンツに対して、ステップＳ６０１で読み出されたスケジュール情報格納部２０３に格納されたスケジュール情報のデータ組中の「６．アクション動作種別」に定義された動作処理が実行される（ステップＳ６０４）。「６．アクション動作種別」が例えば「非表示」であれば、ステップＳ６０１で決定された表示コンテンツを表示しない動作が実行される。
【００４３】
ステップＳ６０３又はＳ６０４の動作の後、「２．表示間隔」の表示時間が経過すると、スケジュール情報格納部２０３に格納されたスケジュール情報において、次に表示を制御すべきデータ組があるか否かが判定される（ステップＳ６０５）。
【００４４】
次に表示を制御すべきデータ組があってステップＳ６０５の判定がＹＥＳならば、スケジュール情報格納部２０３に格納されたスケジュール情報（図３（ｂ）参照）から現在のデータ組の次のデータ組が読み出され、そのデータ組中の「３．表示コンテンツ」（図３（ａ）参照）によって、表示コンテンツが決定される（ステップＳ６０６）。その後、ステップＳ６０２に戻る。
【００４５】
次に表示を制御すべきデータ組がなくステップＳ６０５の判定がＮＯならば、ステップＳ６０１の処理に戻って、スケジュール情報格納部２０３に格納されたスケジュール情報の先頭のデータ組が読み出され、ステップＳ６０２以下の処理が繰り返される。なお、ステップＳ６０５の判定がＮＯの場合に、表示装置１０１での表示動作が終了するように制御されてもよい。
【００４６】
図７は、表示装置管理サーバ１０２が、１つの表示装置１０１からスケジュール情報格納部２０３に格納されたスケジュール情報のデータ組を受信したときに実行する制御動作を示す動作フローチャートである。
【００４７】
まず、表示装置管理サーバ１０２中の表示装置連携部２０９において、表示装置１０１中のサーバ連携部２０４から、スケジュール情報格納部２０３に格納されたスケジュール情報中の１組のデータ組（図３（ａ））が受信される（ステップＳ７０１）。このデータ組は、表示装置１０１中の入力制御部２０２によって図５のステップＳ５０３として実行される制御動作によって、該当する表示装置１０１中のサーバ連携部２０４から送信されている。
【００４８】
次に、表示装置管理サーバ１０２中の各種情報管理機能部２０６において、ステップＳ７０１にて受信されたデータ組と共に受信された表示装置１０１の識別情報に基づいて、図４（ｂ）に示されるデータ構成を有する複数組の設置情報格納部２０７に格納されたスケジュール情報中の「４．設置表示装置」が検索され、上記表示装置１０１の識別情報が「４．設置表示装置」中に含まれる設置情報格納部２０７に格納された設置情報のデータ組が抽出される。そして、抽出された設置情報格納部２０７に格納された設置情報のデータ組中の「２．設置場所属性」が取得される（以上、ステップＳ７０２）。
【００４９】
次に、ステップＳ７０２にて取得された「２．設置場所属性」が「同期」を示しているか否か（値が「１」であるか「０」であるか）が判定される（ステップＳ７０３）。
「２．設置場所属性」が「同期」を示していなければ、ステップＳ７０１にて受信されたスケジュール情報のデータ組によって、スケジュール情報格納部２０８に格納されたスケジュール情報中の該当するデータ組が書き換えられる。その後、図７の動作フローチャートで示される制御動作を終了する。
【００５０】
「２．設置場所属性」が「同期」を示していれば、ステップＳ７０２にて抽出されたデータ組の「４．設置表示装置」に含まれる識別情報に対応する各表示装置１０１に対して、表示装置連携部２０９を介して、ステップＳ７０１にて受信されたスケジュール情報のデータ組が通知される（ステップＳ７０４）。
【００５１】
続いて、ステップＳ７０１にて受信されたスケジュール情報のデータ組によって、スケジュール情報格納部２０８に格納されたスケジュール情報中の該当するデータ組が書き換えられる。その後、図７の動作フローチャートで示される制御動作を終了する。
【００５２】
図８は、各表示装置１０１中のサーバ連携部２０４が、表示装置管理サーバ１０２中の表示装置連携部２０９からスケジュール情報のデータ組を受信したときに実行する制御動作を示す動作フローチャートである。この制御動作は、上述図７のステップＳ７０４の同期処理によって、表示装置管理サーバ１０２からスケジュール情報のデータ組が送信された場合のほか、表示装置１０１の動作開始時に、表示装置管理サーバ１０２からその表示装置１０１のためのスケジュール情報格納部２０３に格納されたスケジュール情報を構成する全データ組が一括して送信された場合も含む。
【００５３】
まず、表示装置管理サーバ１０２からスケジュール情報のデータ組が受信される（ステップＳ８０１）。
次に、ステップＳ８０１にて受信されたスケジュール情報のデータ組によって、スケジュール情報格納部２０３に格納されたスケジュール情報中の該当するデータ組が書き換えられる（ステップＳ８０２）。
【００５４】
その後、図８の動作フローチャートで示される制御動作を終了する。
以上説明した一連の制御動作によって、本実施形態では、各表示装置１０１において例えば、利用者による表示画面等へのタッチ操作によるアクションが所定回数を超えた場合に、タッチ操作が行われた時点の画面コンテンツを非表示とする制御を実行することが可能となる。
【００５５】
例えば、図９（ａ）の動作例では、画面１、画面２、画面３の各画面コンテンツに対して、それぞれに対応するスケジュール情報格納部２０３に格納されたスケジュール情報のデータ組の「４．アクション回数」（図３（ａ）参照）がそれぞれ「０」回であるため、各画面コンテンツ１〜３は、それぞれに対応するスケジュール情報格納部２０３に格納されたスケジュール情報のデータ組の「２．表示間隔」＝「１分」の表示時間で繰り返し表示されている。
【００５６】
例えば、スケジュール情報格納部２０３に格納されたスケジュール情報のデータ組の画面３に対する情報が「６．アクション動作種別」＝「非表示」となっていた場合は、画面３の表示時における利用者によるタッチ操作が５０回に達すると、図９（ｂ）に示されるように、図６のステップＳ６０２からステップＳ６０４に遷移する制御動作によって、画面３の表示が行われなくなり、画面コンテンツ１と２のみが、それぞれに対応するスケジュール情報格納部２０３に格納されたスケジュール情報のデータ組の「２．表示間隔」＝「１分」の表示時間で繰り返し表示されるようになる。
【００５７】
また、他の実施形態として、各表示装置１０１において例えば、利用者による表示画面等へのタッチ操作によるアクションが所定回数を超えた場合に、タッチ操作が行われた時点の画面コンテンツを優先して表示させたり表示時間を長く又は短くさせたりするような制御を実行させることも可能である。
【００５８】
更に、本実施形態では、１つの表示装置１０１において、利用者のアクションに基づいて或る表示コンテンツの表示状態が変化したときに、その表示装置１０１が、変化が発生した表示コンテンツに対応するスケジュール情報格納部２０３に格納されたスケジュール情報のデータ組を、表示装置管理サーバ１０２に送信する。そして、表示装置管理サーバ１０２が、設置情報格納部２０７に格納された設置情報に基づいて、相互に同期する表示装置１０１に対して、そのスケジュール情報格納部２０３に格納されたスケジュール情報のデータ組を送信する。これにより、１つの表示装置１０１における利用者によるアクションに基づいて、複数の表示装置１０１の表示コンテンツの表示状態を同期して制御することが可能となる。
【００５９】
図１０は、上記システムを実現できるコンピュータのハードウェア構成の一例を示す図である。
図１０に示されるコンピュータは、ＣＰＵ１００１、メモリ１００２、入力装置１００３、出力装置１００４、外部記憶装置１００５、可搬記録媒体１００９が挿入される可搬記録媒体駆動装置１００６、及びネットワーク接続装置１００７を有し、これらがバス１００８によって相互に接続された構成を有する。同図に示される構成は上記システムを実現できるコンピュータの一例であり、そのようなコンピュータはこの構成に限定されるものではない。
【００６０】
ＣＰＵ１００１は、当該コンピュータ全体の制御を行う。メモリ１００２は、プログラムの実行、データ更新等の際に、外部記憶装置１００５（或いは可搬記録媒体１００９）に記憶されているプログラム又はデータを一時的に格納するＲＡＭ等のメモリである。ＣＵＰ１００１は、プログラムをメモリ１００２に読み出して実行することにより、全体の制御を行う。
【００６１】
入力装置１００３は、例えば、キーボード、マウス等及びそれらのインタフェース制御装置とからなる。入力装置１００３は、ユーザによるキーボードやマウス等による入力操作を検出し、その検出結果をＣＰＵ１００１に通知する。
【００６２】
出力装置１００４は、表示装置、印刷装置等及びそれらのインタフェース制御装置とからなる。出力装置１００４は、ＣＰＵ１００１の制御によって送られてくるデータを表示装置や印刷装置に出力する。
【００６３】
外部記憶装置１００５は、例えばハードディスク記憶装置である。主に各種データやプログラムの保存に用いられる。
可搬記録媒体駆動装置１００６は、光ディスクやＳＤＲＡＭ、コンパクトフラッシュ（登録商標）等の可搬記録媒体１００９を収容するもので、外部記憶装置１００５の補助の役割を有する。
【００６４】
ネットワーク接続装置１００７は、例えばＬＡＮ（ローカルエリアネットワーク）又はＷＡＮ（ワイドエリアネットワーク）の通信回線を接続するための装置である。
図１０のハードウェア構成が例えば図１の表示装置１０１に適用された場合、本実施形態による表示装置１０１は、図５、図６、又は図８の動作フローチャートで示される制御動作に対応する各プログラムをＣＰＵ１００１が実行することで実現される。
【００６５】
図１０のハードウェア構成が例えば図１の表示装置管理サーバ１０２に適用された場合、本実施形態による表示装置管理サーバ１０２は、図７の動作フローチャートで示される制御動作に対応するプログラムをＣＰＵ１００１が実行することで実現される。
【００６６】
上述の各プログラムは、例えば外部記憶装置１００５や可搬記録媒体１００９に記録して配布してもよく、或いはネットワーク接続装置１００７によりネットワークから取得できるようにしてもよい。
【符号の説明】
【００６７】
１０１  表示装置
１０２  表示装置管理サーバ
１０３  ネットワーク１０３
２０１  表示制御部
２０２  入力制御部
２０３  スケジュール情報格納部
２０４  サーバ連携部
２０５  ＯＳ
２０６  各種情報管理機能部
２０７  設置情報格納部
２０８  スケジュール情報格納部
２０９  表示装置連携部
２１０  ＯＳ
１００１  ＣＰＵ
１００２  メモリ
１００３  入力装置
１００４  出力装置
１００５  外部記憶装置
１００７  ネットワーク接続装置
１００６  可搬記録媒体駆動装置
１００９  可搬記録媒体
１００８  バス
【図５】
2011077833.tif 000003
【図６】
2011077833.tif 000004
【図７】
2011077833.tif 000005
【図８】
2011077833.tif 000006
【図９】
2011077833.tif 000007
【図１０】
2011077833.tif 000008
【図１】
2011077833.tif 000009
【図２】
2011077833.tif 000010
【図３】
2011077833.tif 000011
【図４】
2011077833.tif 000012